【事件の表示】
　特願２０１６−　５１６０２「情報配信システムと情報配信方法」拒絶査定不服審判事件〔平成２８年　８月２５日出願公開、特開２０１６−１５４０２２〕について、次のとおり審決する。
【結　論】
　本件審判の請求は、成り立たない。
【理　由】
第１　手続の経緯
　本願は、平成２３年９月５日に出願された特願２０１１−２０８０７４号の一部を平成２８年２月２６日に新たな特許出願としたものであって、その手続の経緯は以下のとおりである。
　平成２９年　２月　２日付け：拒絶理由通知書
　平成２９年　４月　９日　　：意見書、手続補正書の提出
　平成２９年　９月　４日付け：拒絶理由通知書
　平成２９年１０月２９日　　：意見書、手続補正書の提出
　平成３０年　２月　２日付け：拒絶査定
　平成３０年　５月　１日　　：審判請求書、手続補正書の提出
　令和　元年　５月２１日付け：拒絶理由通知書
　令和　元年　７月２６日　　：意見書、手続補正書の提出
第２　本願発明
　本願の請求項に係る発明は、令和元年７月２６日にされた手続補正により補正された特許請求の範囲の請求項１−６に記載された事項により特定されるものと認められるところ、その請求項１に係る発明（以下、「本願発明」という。）は、以下のとおりのものである。
「　　ＷｅｂサイトＵＲＬ情報を含むリンク先情報を近距離無線通信を利用して送信するリンク先情報送信サーバと、このリンク先情報送信サーバからリンク先情報を近距離無線通信を利用して受信すると、自己に搭載されたアプリケーションソフトウェアによって自己の機器識別情報を近距離無線通信が成立している状態の間に前記リンク先情報送信サーバに近距離無線通信を利用して返信するクライアント機器とを備えることを特徴とする情報配信システム。」
第３　拒絶の理由
　令和元年５月２１日に当審が通知した拒絶理由の理由１は、概略、次のとおりのものである。
　本願発明は、本願の出願前に日本国内又は外国において、頒布された又は電気通信回線を通じて公衆に利用可能となった以下の引用文献１に記載された発明及び引用文献２に記載された周知技術に基づいて、その出願前にその発明の属する技術の分野における通常の知識を有する者（以下、「当業者」という。）が容易に発明をすることができたものであるから、特許法第２９条第２項の規定により特許を受けることができない。
　引用文献１：特開２００４−０３０１６８号公報 
　引用文献２：特開２００３−０１６３４１号公報 
第４　引用文献の記載及び引用発明
１．引用文献１の記載及び引用発明
　引用文献１には、図面（特に、図１、７）とともに、以下の記載がある（下線は、特に着目した箇所を示す。以下、同様。）。
（１）　段落【０００１】
「【０００１】
【発明の属する技術分野】
本発明は、会員登録方法及び会員登録システムに関し、例えば、パチンコやパチスロ、カラオケ等の遊技施設等の会員登録により種々のサービスや情報を取得することができる施設やシステムに好適である。」
（２）　段落【００２５】−【００３７】
「【００２５】
【発明の実施の形態】
以下、本発明の実施の形態について、図を用いて詳細に説明する。図１は本発明の会員登録システムの構成を説明するためにブロック図である。
なお、以下では、本発明の会員登録方法及び会員登録システムを、パチンコやパチスロなどを設置した遊技施設等において会員を登録し、さらにはこの会員登録に基づいてポイント管理を行う会員システムに適用する例について説明する。
　　　・・・（中略）・・・
【００２７】
図１は、本発明の会員登録システムの全体構成を説明するための概略ブロック図である。なお、図１は、一
遊技施設における
図１において、
会員登録システム１は、携帯端末２と会員登録装置３とを備え
【００２８】
携帯端末２は、例えば携帯電話等であり、少なくとも近距離無線通信機能を有する通信装置であ
特定の利用者が会員登録を行うために、携帯端末の機器の固有の識別データを保持し、外部信号に基づいてこの識別データを送信する機能を備え
携帯端末２及び会員登録装置３は、それぞれ近距離無線通信機能のポート
を備え、ポート間で送受信を行
【００２９】
ここで、識別データは、携帯端末２を特定するために携帯端末が固有に備えるデータであり、
【００３０】
また、携帯端末は自動ダウンロードのアプリケーションプログラム、及び自動送信アプリケーションプログラムを備え
自動ダウンロードのアプリケーションプログラムは、ＵＲＬ情報に基づいてそのＵＲＬで特定されるサーバに自動で接続を行うアプリケーションプログラムであり、サーバから所定のアプリケーションをダウンロードする
【００３１】
また、
自動送信アプリケーションプログラムは、携帯端末２が保持する識別データを近距離無線通信機能で自動送信するアプリケーションプログラムであり、命令オブジェクト等に含まれる起動信号等の外部信号に基づいて起動し、識別データを送信する
自動ダウンロードのアプリケーションプログラム及び自動送信アプリケーションプログラムは、携帯端末２に予め格納しておく
こと
できる
【００３２】
以下の説明では、自動ダウンロードのアプリケーションプログラムを携帯端末２は予め格納しておき、近距離無線通信機能により外部からＵＲＬ情報を取り込むことでこのアプリケーションプログラムを起動させてサーバに接続し、サーバから自動送信アプリケーションプログラムをダウンロードする。
【００３３】
なお、
携帯端末２に自動送信アプリケーションプログラムが予め格納されている場合には、自動ダウンロードのアプリケーションプログラムによってサーバから自動送信アプリケーションプログラムをダウンロードする必要はな
他のサーバから所望のアプリケーションプログラムをダウンロードする
ことができ
また、自動ダウンロードのアプリケーションプログラムの起動は、外部からＵＲＬ情報を取り込むことによる起動に限らず、ＵＲＬ情報についても予め格納しておき、メニュー等で接続先のサーバを選択することにより起動させるようにしてもよい。
【００３４】
図１において、
サーバ１０は、インターネットの通信網１４と接続するＷｅｂサーバ１１と、このＷｅｂサーバ１１と接続する
アプリケーションサーバ１３とを備え
【００３５】
会員登録装置３は、携帯端末２との間
送受信を行う登録機器４と、登録機器４で受信した識別データを記録する
会員サーバ５を備え
登録機器４は、携帯端末２に対して命令オブジェクトを送信
命令オブジェクトは起動信号を含み、携帯端末２に対して識別データの送信を行わせる
起動信号の他にＵＲＬ情報を含むようにしてもよ
【００３６】
登録機器４は、
機遊技施設に設置される種々の機器装置に取り付けることができる
ＬＡＮ等の構内配線等を介して遊技施設が備える会員サーバ５に接続され
【００３７】
会員サーバ５は、取得した識別データをデータベース
に記録することで会員登録データを形成
（３）　段落【００５２】
「【００５２】
携帯端末２と登録機器４との間では、会員登録に伴って命令オブジェクトや識別データを送受信する他、会員サーバ５からメッセージや広告の送信、携帯端末２からの照会とこれに対する会員サーバ５からの回答等を行うこともできる。」
（４）　段落【００７２】−【００８６】
「【００７２】
次に、本発明の会員登録の動作について説明する。
図７は、本発明の
会員登録の動作において、
【００７３】
登録機器は、
近距離無線通信機能により、命令オブジェクトを送信
（１）
　　　・・・（中略）・・・
【００７５】
なお、
命令オブジェクトは、自動送信アプリケーションプログラムを起動させる起動コマンドと、自動送信アプリケーションプログラム等を自動ダウンロードするためのサーバのＵＲＬ情報とを含
携帯端末は、近距離無線通信の通信範囲内に入ることで、登録機器から送信された命令オブジェクトを受信
（２）
命令オブジェクトを受信すると、自動ダウンロードのアプリケーションプログラムを起動して、命令オブジェクト中に含まれるＵＲＬ情報が指定するＷｅｂサーバに接続し、
　　　・・・（中略）・・・
【００８０】
携帯端末は、Ｗｅｂサーバから送信されたアプリケーションプログラムをダウンロードし記憶する。なお、このとき、携帯端末のディスプレイに、自動送信アプリケーションプログラムのダウンロードが完了したことを表示してもよい（９）。ダウンロードした
自動送信アプリケーションプログラムは、命令オブジェクトに含まれる起動コマンドにより、利用者の操作を待つことなく自動で起動
（１０）
携帯端末が固有に備える識別データ
を読み出し（１１）、登録機器
送信
（１２）
【００８１】
登録機器は識別データを受信し（１３）、受信した識別データを会員サーバに送信
（１４）
会員サーバは識別データを受信し（１５）、この識別データを会員登録データとして会員登録の処理を行
（１６）
【００８２】
なお、
携帯端末が自動送信アプリケーションプログラムを予め格納している場合には、命令オブジェクトの受信により上記の（１０）のアプリケーション起動行程から開始することができる
【００８３】
上記会員登録の動作における携帯端末の処理例を図８のフローチャート、及び図９の携帯端末のディスプレイの表示例を用いて説明する。
携帯端末では、登録機器からの命令オブジェクトを受信すると（ステップＳ１）、命令オブジェクトに含まれる起動コマンドで動作するアプリケーションプログラムがあるか否かを検索する。携帯端末による会員登録処理は、自動で行うため、会員登録の動作表示は必ずしも必要ではないが、表示携帯端末のディスプレイに、例えば「会員登録を開始します」の表示（図９（ａ））や、「会員登録中です」の表示（図９（ｂ））等の表示を行ってもよい。この表示を行うことにより、利用者に会員登録の処理が進行していることを知らせて、安心感を与えることができる（ステップＳ２）。
　　　・・・（中略）・・・
【００８５】
自動送信アプリケーションプログラムを取得した後、あるいは、前記ステップＳ２において予め自動送信アプリケーションプログラムを保有している場合には、命令オブジェクト中の起動コマンドにより、自動送信アプリケーションプログラムを起動する（ステップＳ７）。自動送信アプリケーションプログラムは、携帯端末の記憶部内に格納されている端末ＩＤあるいは電話番号等の、携帯端末が固有に備える識別データを読み出す。端末ＩＤあるいは電話番号の何れか、あるいは両方を読み出すかは、自動送信アプリケーションプログラムや携帯端末の設定により定めることができる（ステップＳ８）。
【００８６】
自動送信アプリケーションプログラムは、読み出した識別データを赤外線通信、非接触ＩＣ通信等の近距離無線通信機能により送信する（ステップＳ９）。登録機器から会員登録の処理が完了した完了信号を受信した後（ステップＳ１０）、携帯端末のディスプレイに、例えば、「会員登録が完了しました」等（図９（ｃ））の会員登録が完了したことを表示する。さらに、この会員登録により、ポイントの蓄積を可能とする場合には、「ポイントの蓄積サーバが利用できます」等の表示を行うようにしてもよい（ステップＳ１１）。」
　上記各記載事項を関連図面に照らし、下線部に着目すれば、引用文献１には次の発明（以下、「引用発明」という。）が記載されているといえる。
「　遊技施設における会員登録システム１は、携帯端末２と会員登録装置３とを備え、
　携帯端末２は、例えば携帯電話等であり、少なくとも近距離無線通信機能を有する通信装置であって、特定の利用者が会員登録を行うために、携帯端末の機器の固有の識別データを保持し、外部信号に基づいてこの識別データを送信する機能を備え、
　携帯端末２及び会員登録装置３は、それぞれ近距離無線通信機能のポートを備え、ポート間で送受信を行い、
　　ここで、識別データは、携帯端末２を特定するために携帯端末が固有に備えるデータであり、
　また、携帯端末は自動ダウンロードのアプリケーションプログラム、及び自動送信アプリケーションプログラムを備え、自動ダウンロードのアプリケーションプログラムは、ＵＲＬ情報に基づいてそのＵＲＬで特定されるサーバに自動で接続を行うアプリケーションプログラムであり、サーバから所定のアプリケーションをダウンロードするものであり、自動送信アプリケーションプログラムは、携帯端末２が保持する識別データを近距離無線通信機能で自動送信するアプリケーションプログラムであり、命令オブジェクト等に含まれる起動信号等の外部信号に基づいて起動し、識別データを送信するものであり、
　　ここで、自動ダウンロードのアプリケーションプログラム及び自動送信アプリケーションプログラムは、携帯端末２に予め格納しておくことができるものであって、携帯端末２に自動送信アプリケーションプログラムが予め格納されている場合には、自動ダウンロードのアプリケーションプログラムによってサーバから自動送信アプリケーションプログラムをダウンロードする必要はなく、他のサーバから所望のアプリケーションプログラムをダウンロードすることができ、
　サーバ１０は、インターネットの通信網１４と接続するＷｅｂサーバ１１と、このＷｅｂサーバ１１と接続するアプリケーションサーバ１３とを備え、
　会員登録装置３は、携帯端末２との間で送受信を行う登録機器４と、登録機器４で受信した識別データを記録する会員サーバ５を備え、
　登録機器４は、携帯端末２に対して命令オブジェクトを送信し、
　　ここで、命令オブジェクトは起動信号を含み、携帯端末２に対して識別データの送信を行わせるものであって、起動信号の他にＵＲＬ情報を含むようにしてもよく、
　登録機器４は、機遊技施設に設置される種々の機器装置に取り付けることができるものであって、ＬＡＮ等の構内配線等を介して遊技施設が備える会員サーバ５に接続され、
　会員サーバ５は、取得した識別データをデータベースに記録することで会員登録データを形成し、
　会員登録の動作において、
　登録機器は、近距離無線通信機能により、命令オブジェクトを送信し（１）、
　　ここで、命令オブジェクトは、自動送信アプリケーションプログラムを起動させる起動コマンドと、自動送信アプリケーションプログラム等を自動ダウンロードするためのサーバのＵＲＬ情報とを含み、
　携帯端末は、近距離無線通信の通信範囲内に入ることで、登録機器から送信された命令オブジェクトを受信し（２）、命令オブジェクトを受信すると、自動ダウンロードのアプリケーションプログラムを起動して、命令オブジェクト中に含まれるＵＲＬ情報が指定するＷｅｂサーバに接続し、
　自動送信アプリケーションプログラムは、命令オブジェクトに含まれる起動コマンドにより、利用者の操作を待つことなく自動で起動し（１０）、携帯端末が固有に備える識別データを読み出し（１１）、登録機器に送信し（１２）、
　登録機器は識別データを受信し（１３）、受信した識別データを会員サーバに送信し（１４）、
　会員サーバは識別データを受信し（１５）、この識別データを会員登録データとして会員登録の処理を行い（１６）、
　ここで、携帯端末が自動送信アプリケーションプログラムを予め格納している場合には、命令オブジェクトの受信により上記の（１０）のアプリケーション起動行程から開始することができる、
会員登録システム１。」
２．引用文献２の記載
　引用文献２には、図面（特に、図７）とともに、段落【００４２】−【００４４】に、以下の記載がある。
「【００４２】図７は、情報端末（例えばＵＴ１）が、ＮＴＴドコモ社が提供しているｉモード対応のＰＤＣシステムであったときの、情報端末ＵＴ１および情報提供システムＳＳの処理を示す状態遷移図である。
【００４３】図７において、まずユーザＵ１が情報端末ＵＴ１から個人情報を送信することによって、情報提供システムＳＳから、
情報配信を受けるためのアプリケーション
【００４４】その後
情報提供システムＳＳが広告を配信すると、情報端末ＵＴ１は広告を受信
する。
第５　対比
　本願発明と引用発明とを対比すると、次のことがいえる。
１．引用発明の「携帯端末２」は、「命令オブジェクトを受信すると、自動ダウンロードのアプリケーションプログラムを起動して、命令オブジェクト中に含まれるＵＲＬ情報が指定するＷｅｂサーバに接続」するものであるから、引用発明の「ＵＲＬ情報」は、本願発明の「ＷｅｂサイトＵＲＬ情報を含むリンク先情報」に相当する。
２．引用発明の「会員登録装置３」は、「携帯端末２との間で送受信を行う登録機器４と、登録機器４で受信した識別データを記録する会員サーバ５を備え、」「登録機器４」が、「近距離無線通信機能により、」「ＵＲＬ情報を含む」「命令オブジェクトを送信」するものであるから、本願発明の「リンク先情報を近距離無線通信を利用して送信するリンク先情報送信サーバ」に相当する。
３．引用発明の「携帯端末２」は、「携帯端末２が保持する識別データを近距離無線通信機能で自動送信するアプリケーションプログラムであり、命令オブジェクト等に含まれる起動信号等の外部信号に基づいて起動し、識別データを送信」する「自動送信アプリケーションプログラム」を「予め格納しておくことができるものであ」る。
　また、引用発明の「会員登録システム１」は、「会員登録の動作において、登録機器」が、「近距離無線通信機能により、命令オブジェクトを送信し（１）、携帯端末」が、「登録機器から送信された命令オブジェクトを受信」する「（２）」ものであって、「携帯端末が自動送信アプリケーションプログラムを予め格納している場合には、命令オブジェクトの受信により」、「（１０）のアプリケーション起動行程から開始する」、すなわち、「自動送信アプリケーションプログラム」が、「命令オブジェクトに含まれる起動コマンド」（「起動信号」）「により、利用者の操作を待つことなく自動で起動し（１０）、携帯端末が固有に備える識別データを読み出し（１１）、登録機器に送信」する「（１２）」ものである。
　ここで、引用発明の「携帯端末２」は、「起動信号の他にＵＲＬ情報を含む」「命令オブジェクトを受信」することで、「利用者の操作を待つことなく自動で起動」する「自動送信アプリケーションプログラム」により、「携帯端末が固有に備える識別データを」「送信」するものであるから、引用発明の「携帯端末２」による、「命令オブジェクト」の「受信」から「識別データ」の「送信」までの間、「近距離無線通信」が継続して成立している状態にあると考えるのが自然である。
　よって、引用発明の「携帯端末２」は、本願発明の「このリンク先情報送信サーバからリンク先情報を近距離無線通信を利用して受信すると、自己に搭載されたアプリケーションソフトウェアによって自己の機器識別情報を近距離無線通信が成立している状態の間に前記リンク先情報送信サーバに近距離無線通信を利用して返信するクライアント機器」に相当する。
４．引用発明の「会員登録システム１」は、本願発明１の「情報配信システム」と、「システム」である点で共通する。 
　よって、本願発明と引用発明との一致点・相違点は、次のとおりであるといえる。
［一致点］
「　　ＷｅｂサイトＵＲＬ情報を含むリンク先情報を近距離無線通信を利用して送信するリンク先情報送信サーバと、このリンク先情報送信サーバからリンク先情報を近距離無線通信を利用して受信すると、自己に搭載されたアプリケーションソフトウェアによって自己の機器識別情報を近距離無線通信が成立している状態の間に前記リンク先情報送信サーバに近距離無線通信を利用して返信するクライアント機器とを備えるシステム。」
［相違点］
　本願発明は、「情報配信システム」であるのに対して、引用発明は、「会員登録システム１」である点。
第６　判断 
１．上記相違点について
　引用発明の「会員登録システム１」は、「会員登録装置３」が「近距離無線通信の通信範囲内」の不特定多数の「携帯端末２に」「ＵＲＬ情報を含む」「命令オブジェクトを送信」するもの、すなわち、「会員登録装置３」が「携帯端末２に」「ＵＲＬ情報を」配信するものであるから、引用発明の「会員登録システム１」を「情報配信システム」と呼ぶことは、当業者が適宜なし得たことである。
　なお、仮に、配信される情報が広告である場合についても検討する。
　配信される広告を受信するアプリケーションプログラムは、周知である（例えば、引用文献２の記載（上記「第４」２．）を参照。）。
　ここで、引用発明の「会員登録システム１」は、「近距離無線通信」により、「会員登録装置３」から「端末機器２」に「広告の送信」をするものであるところ（上記「第４」１．（３）を参照されたい。）、引用発明の「会員登録システム１」において、「近距離無線通信」に代えて、上記周知のアプリケーションプログラムにより、「携帯端末２」に広告を配信するようにすることは、当業者が容易になし得たことである。
２．請求人の主張について
　請求人は、令和元年７月２６日付け意見書において、以下のとおり主張している。
「　しかしながら、引用文献１記載の会員登録システムでは、たとえば、以下の【００７５】、【００８０】において、図７の関係図、図８のフローチャートに基づき説明をしているように、携帯端末（本発明のクライアン機器に相当）が、登録機器（本発明の「リンク先情報送信サーバ」に相当）からの命令オブジェクトに含まれるＵＲＬ情報において指定されたＷｅｂサーバと接続した上で、そのＷｅｂサーバの自動送信アプリケーションプログラムを要求して、当該プログラムをダウンロードし、そのプログラムを起動して、自己の識別番号を読み出して、登録機器に送信しているものであります。
　すなわち、携帯端末は、登録機器からの命令オブジェクトを受信した後、Ｗｅｂサーバと通信をした上で、Ｗｅｂサーバから自動送信アプリケーションプログラムをダウンロードし、それを起動し、登録機器に自己の識別番号を送信するようにＷｅｂサーバとの通信を必要にしております。
【００７５】
　　　・・・（中略）・・・
【００８０】
　　　・・・（中略）・・・
　これに対して本発明では、クライアント機器がリンク先情報送信サーバとの近距離無線通信が成立している状態の間に、自己に搭載されたアプリケーションソフトウェアによって、自己の識別情報をリンク先情報送信サーバに対して自動的に近距離無線通信を利用して返信するものです。
　これにより、クライアント機器が、Ｗｅｂサーバ等に接続し、自動送信アプリケーションプログラムをダウンロードした上で、それを起動して自己の識別情報を返信するようなＷｅｂサーバとの通信を行う必要はなく、リンク先情報送信サーバとの近距離無線通信が成立している状態の間に、リンク先情報送信サーバに対して自己の識別情報を返信することができるものです。」
　請求人の上記主張について検討する。
　引用文献１の図７は、「携帯端末に」、「会員登録に用いる識別データを送信するための自動送信アプリケーションプログラム」が「格納されていない」（上記「第４」１．（４）の段落【００７２】）場合の、会員登録の動作についての図であって、引用発明の「携帯端末２」は、「自動送信アプリケーションプログラム」を予め「格納」していない場合には、請求人の上記主張のとおり、「登録機器からの命令オブジェクトを受信した後、Ｗｅｂサーバと通信をした上で、Ｗｅｂサーバから自動送信アプリケーションプログラムをダウンロードし、それを起動し、登録機器に自己の識別番号を送信する」こととなる。
　しかしながら、引用発明の「携帯端末２」は、上記「第５」３．のとおり、「自動送信アプリケーションプログラム」を「予め格納しておくことができるものであって、」「自動送信アプリケーションプログラムを予め格納している場合には、命令オブジェクトの受信により」、「自動送信アプリケーションプログラム」が、「命令オブジェクトに含まれる起動コマンドにより、利用者の操作を待つことなく自動で起動し（１０）、携帯端末が固有に備える識別データを」「登録機器に送信」する「（１２）」ものである。
　また、引用文献１の図８を、上記「第４」１．（４）の段落【００８３】、【００８５】−【００８６】とともに参照しても、会員登録の動作において、引用発明の「携帯端末２」が、「命令オブジェクトに含まれる起動コマンドで動作するアプリケーションプログラムがあるか否かを検索」し「（ステップＳ２）」、「前記ステップＳ２において予め自動送信アプリケーションプログラムを保有している場合には、命令オブジェクト中の起動コマンドにより、自動送信アプリケーションプログラムを起動」し「（ステップＳ７）」、「自動送信アプリケーションプログラム」が、「携帯端末が固有に備える識別データを」「近距離無線通信機能により送信する（ステップＳ９）」ことが記載されていると認定できる。
　よって、請求人の上記主張は、採用できない。
第７　むすび
　以上のとおり、本願発明は、引用発明及び周知技術に基づいて、当業者が容易に発明をすることができたものであるから、特許法第２９条第２項の規定により特許を受けることができない。
　したがって、本願は、他の請求項に係る発明について検討するまでもなく、拒絶されるべきものである。
　よって、結論のとおり審決する。